(57)【要約】  ゴーグルフレーム（１０２）及び曲げ制御部品（１２０）を含むゴーグルが提供される。ゴーグルフレームは、相対する側方部分と、中心部分とを形成することができる。ゴーグルフレームの中心部分に配されたブリッジを含むことができる。ゴーグルフレームは、ゴーグルフレームに対する曲げ力の作用を受けて総じて可撓性であることができる。曲げ制御部品は、ゴーグルフレームのブリッジに沿って伸びることができる。曲げ制御部品は、ブリッジにおけるゴーグルフレームの優先的曲げを抑えるために、ブリッジにおけるゴーグルの曲げ強度を強化するように構成することができる。一部の実施形態では、曲げ制御部品は、ゴーグルフレームとは別に形成される。別の実施形態では、曲げ制御部品は、締結具及び／又は１つ若しくは２つ以上の突出と、対応する凹所とを使用してフレームに固定することができる。
2012515947.tif 000002
【特許請求の範囲】
【請求項１】
ゴーグルであって、
相対する側方部分と、中心部分とを形成するゴーグルフレームであって、前記ゴーグルフレームの前記中心部分に配されたブリッジを含み、前記ゴーグルフレームに対する曲げ力の作用を受けて総じて可撓性であるゴーグルフレームと、
前記ゴーグルフレームの前記ブリッジに沿って伸びる曲げ制御部品であって、第１及び第２の端を有する総じて細長いボディを含み、前記ブリッジにおける前記ゴーグルフレームの優先的曲げを抑えるために、前記ゴーグルフレームの前記ブリッジにおける前記ゴーグルの曲げ強度を強化するように構成される曲げ制御部品と、
を備えるゴーグル。
【請求項２】
請求項１に記載のゴーグルであって、
前記曲げ制御部品は、前記ゴーグルフレームに取り付けられる、ゴーグル。
【請求項３】
請求項２に記載のゴーグルであって、
前記曲げ制御部品は、前記ゴーグルフレームのためのインサートとして、前記ゴーグルフレームとは別に形成され、前記ゴーグルフレームは、前記曲げ制御部品を前記ゴーグルフレームに取り付けるために、前記曲げ制御部品の少なくとも一部分を受け入れるように構成される、ゴーグル。
【請求項４】
請求項１に記載のゴーグルであって、
前記曲げ制御部品及び前記ゴーグルフレームは、一枚の材料片から形成される、ゴーグル。
【請求項５】
請求項１に記載のゴーグルであって、
前記ゴーグルフレームは、上方部分及び下方部分を形成し、前記曲げ制御部品は、前記ゴーグルフレームの前記上方部分に隣接して配される、ゴーグル。
【請求項６】
請求項１に記載のゴーグルであって、
前記ゴーグルフレームは、上方部分及び下方部分を形成し、前記曲げ制御部品は、前記ゴーグルフレームの前記下方部分に隣接して配される、ゴーグル。
【請求項７】
請求項１に記載のゴーグルであって、
前記ゴーグルフレーム及び前記曲げ制御部品は、異なる材料から作成される、ゴーグル。
【請求項８】
請求項７に記載のゴーグルであって、
前記ゴーグルフレームは、第１のポリマから作成され、前記曲げ制御部品は、前記第１のポリマの曲げ強度を上回る曲げ強度を有する第２のポリマから作成される、ゴーグル。
【請求項９】
請求項１に記載のゴーグルであって、
前記ゴーグルフレーム及び前記曲げ制御部品は、前記ブリッジにおける前記ゴーグルの曲げ強度が前記ゴーグルの前記側方部分に沿った前記ゴーグルの曲げ強度に少なくとも等しいように構成される、ゴーグル。
【請求項１０】
請求項９に記載のゴーグルであって、
前記ゴーグルフレーム及び前記曲げ制御部品は、前記ブリッジにおける前記ゴーグルの曲げ強度が前記ゴーグルの前記側方部分に沿った前記ゴーグルの曲げ強度を上回るように構成される、ゴーグル。
【請求項１１】
請求項１に記載のゴーグルであって、
前記ゴーグルフレームは、第１及び第２のレンズ支持部分を含み、前記ブリッジは、前記第１のレンズ支持部分と前記第２のレンズ支持部分との間に配され、前記ゴーグルフレームの前記第１及び第２のレンズ支持部分は、少なくとも１枚のレンズを着用者の視野内に支持するように構成され、前記少なくとも１枚のレンズ及び前記第１のレンズ支持部分は、あわせて第１の複合曲げ強度を提供し、前記少なくとも１枚のレンズ及び前記第２のレンズ支持部分は、あわせて第２の複合曲げ強度を提供し、前記少なくとも１枚のレンズ及び前記ブリッジは、ブリッジ曲げ強度を提供し、前記曲げ制御部品は、前記ブリッジ曲げ強度に加えて更なる曲げ強度を提供してあわせて第３の複合曲げ強度を提供し、前記第３の曲げ強度は、前記ブリッジにおける前記ゴーグルの曲げ強度を強化して前記ブリッジにおける前記ゴーグルフレームの優先的曲げを抑えるために、前記第１の複合曲げ強度又は前記第２の複合曲げ強度のいずれかに等しい又はそれを上回る、ゴーグル。
【請求項１２】
請求項１に記載のゴーグルであって、
前記曲げ制御部品は、その前記細長いボディから伸びる複数のタブを含み、前記タブは、前記曲げ制御部品を前記ゴーグルフレームに結合するために、前記ゴーグルフレーム内に形成されたそれぞれの凹所に係合するように構成される、ゴーグル。
【請求項１３】
請求項１２に記載のゴーグルであって、
前記曲げ制御部品の前記タブは、前記曲げ制御部品の前記第１の端と前記第２の端との中間に配される、ゴーグル。
【請求項１４】
請求項１に記載のゴーグルであって、
前記曲げ制御部品の前記細長いボディは、少なくとも１つの先細の様相を形成する、ゴーグル。
【請求項１５】
請求項１４に記載のゴーグルであって、
前記曲げ制御部品の幅は、その中心部分からその相対する両端に向かって先細る、ゴーグル。
【請求項１６】
請求項１５に記載のゴーグルであって、
前記曲げ制御部品の幅は、その中心部分からその相対する両端に向かって狭まる、ゴーグル。
【請求項１７】
請求項１に記載のゴーグルであって、
締結具を備え、前記ゴーグルフレームは、締結空洞を含み、前記曲げ制御部品は、少なくとも１つの孔を含み、前記締結具は、前記曲げ制御部品を前記ゴーグルフレームに取り付けるために、前記ゴーグルフレームの前記締結空洞内に収まって前記曲げ制御部品の前記孔に係合するように構成される、ゴーグル。
【請求項１８】
請求項１７に記載のゴーグルであって、
前記ゴーグルフレームは、前記締結具と前記曲げ制御部品との間に介在される、ゴーグル。
【請求項１９】
ゴーグルであって、
少なくとも１枚のレンズと、
第１及び第２のレンズ支持部分と、前記第１のレンズ支持部分と前記第２のレンズ支持部分との間に配されたブリッジとを含むゴーグルフレームであって、前記ゴーグルフレームの前記第１及び第２のレンズ支持部分は、少なくとも１枚のレンズを着用者の視野内に
支持するように構成され、前記ブリッジは、ノーズピース引っ込みを形成し、前記ゴーグルフレームは、前記ゴーグルフレームの前記ブリッジに対する曲げ力の作用を受けて総じて可撓性であり、前記少なくとも１枚のレンズ及び前記第１のレンズ支持部分は、あわせて第１の複合曲げ強度を提供し、前記少なくとも１枚のレンズ及び前記第２のレンズ支持部分は、あわせて第２の複合曲げ強度を提供し、前記少なくとも１枚のレンズ及び前記ブリッジは、ブリッジ曲げ強度を提供する、ゴーグルフレームと、
前記ゴーグルフレームの前記ブリッジ上に、その前記ノーズピース引っ込みに隣接して配される曲げ制御部品であって、前記ゴーグルフレームの前記ブリッジに対する曲げ力の作用を受けて前記ゴーグルフレームの前記ブリッジとともに撓み、前記ブリッジ曲げ強度に加えて更なる曲げ強度を提供してあわせて第３の複合曲げ強度を提供する曲げ制御部品と、
を備え、前記第３の曲げ強度は、前記ブリッジにおける前記ゴーグルの曲げ強度を強化して前記ブリッジにおける前記ゴーグルフレームの優先的曲げを抑えるために、前記第１の複合曲げ強度又は前記第２の複合曲げ強度のいずれかに少なくとも等しい、ゴーグル。
【発明の詳細な説明】
【技術分野】
【０００１】
＜発明の背景＞
＜発明の分野＞
本発明は、総じて、アイウェア製品に関する。より詳細には、本発明は、レンズの光学的品質を最適にするために及び着用者にカスタマイズされたフィット感を提供するためにレンズの撓みを制御するための方法と装置とに関する。
【０００２】
＜関連技術の説明＞
アイウェアの分野では、ゴーグル及びサングラスなど、特に激しいスポーツでの使用を意図されたアイウェアに関連し、近年、種々様々な改善がなされてきた。改善の多くは、レンズ成形技術及びファッション用サングラスに対してもなされてきた。これらの改善は、ユニタリレンズ設計を有するアイウェア及びデュアルレンズ設計を有するアイウェアの両方に取り入れられてきた。その結果、現在の激しいスポーツ用アイウェアは、周辺光の遮断を最大にする、光学的歪みを軽減する、及び着用者の快適レベルを上げるなど、様々な形で機能的に前身のアイウェアに優っている。
【０００３】
例えば、デュアルアイウェア設計のためのレンズ設計及びユニタリアイウェア設計のレンズ設計は、ともに、秀でた光学性能を提供すると同時に、左右方向に完全な視野と、横方向への優れた眼の保護とを提供することができる。より詳細には、ユニタリレンズシステムにおいて、着用者の眼から後方のレンズ面への入射角は、着用者の視線が垂直面内又は水平面内のいずれかで方向を変えるにつれて変化する。これは、レンズの正面の近くから入る光と、レンズの側方の端から入る周辺光との間で屈折を異ならせる。このプリズム歪みを生む原因に対処するために、米国特許第４，８５９，０４８号は、レンズの厚みを中央の部分から側方の縁にかけて先細らせることを開示しており、その開示内容は、その全体を参照によって本明細書に組み込まれる。
【０００４】
更に、取り付けられたレンズがそれらの成形時ジオメトリによって提供される秀でた光学特性を保持することを可能にするレンズ取り付け技術においても、様々な改善がなされてきた。例えば、オークリー社（Oakley, Inc.）による製造のデュアルレンズ「レーシング・ジャケット（Racing Jacket）」は、レンズが浮遊してその成形時ジオメトリを保持することを可能にするためにレンズにかかるあらゆる取り付け応力を軽減するレンズサスペンション設計を取り入れている。このようなシステムは、２００８年７月３日に出願され「Floating Lens Mounting System（浮遊レンズ取り付けシステム）」と題された米国特許出願第６１／０７８，３２６号に開示されている。該特許出願は、その開示内容全体を参照によって本明細書に組み込まれる。
【０００５】
最後に、メガネ製品及びゴーグル製品には、これらを着用者にとっていっそう快適にしようとする努力の一環として、数々の変更がなされてきた。例えば、これらの製品の重さを軽くするため及びこれらの製品の感触や手触りを改善するために、フレーム及びレンズの製造において、様々な材料が使用されてきた。これらの技術的改善は、光学的に秀でた快適なアイウェア製品を着用者に提供するために、アイウェア製品のためであれゴーグル製品のためであれ、様々なデュアルレンズ設計又はユニタリレンズ設計のいずれにも取り入れることができる。
【０００６】
＜概要＞
本明細書に開示される少なくとも１つの実施形態にしたがうのは、カスタマイズ可能なアイウェア製品が、着用者の固有な輪郭に装着されたときに望ましくない歪みを受けるこ
とがあるという認識である。この歪みは、ときに、着用者に不快感を与えるのみならず、アイウェア製品の光学性能を劣化させることがある。本明細書に開示される発明の実施形態の少なくとも一部は、不快感を防ぐとともにアイウェア製品の好ましい光学特性を維持するために、強化された構造的特質をアイウェア製品が示すことを可能にする。
【０００７】
例えば、ゴーグルは、そのストラップを調整することによって着用者の頭にフィットするように調整することができるカスタマイズ可能なアイウェア製品である。ゴーグルの用途は、スキー、モトクロス、水中ダイビングマスク、及び溶接工や電力設備オペレータなどの様々な産業安全用途を含む。通常、ゴーグルは、頭部全体を保護するのではなく、着用者の眼及び眼に隣接する顔の領域を密閉して粒状物質又は水から保護する。このジオメトリは、レンズが着用者の顔にぴたりと適合して、着用者の正面（前方方向）及び周囲（側方方向）に光、風、埃などが直接入らないように遮断することを可能にする。したがって、これらのゴーグルは、使用の際に着用者の顔にぴたりと適合することが極めて重要である。このように、着用者は、自身の顔にゴーグルをきつく押し付けるために、ゴーグルのゴムストラップを調整するのが通例である。
【０００８】
ゴーグルは、通例、着用者の右目の視野及び左目の視野の両視野の全体に広がるアーチ形のユニタリレンズを含む。レンズは、通常はレンズを取り囲むものであるフレームによって支持することができる。レンズ及びフレームは、ともに、鼻を受けるための下向きに凹んだ引っ込みを伴うように構成される。フレームの後面は、通常はフォーム部品又はその他の圧縮性パッドで覆われており、着用者の顔に接触するように適応される。最後に、ゴーグルの着用を可能にするために、フレームの相対する側辺又は側端に、ゴムストラップがつながれる。
【０００９】
使用にあたり、ゴーグルの後面に配されたフォーム部品又はその他の圧縮性パッドの表面は、着用者の顔に接触する。着用者に接触する表面は、着用者の顔の端から端までに適合するように適応された曲率半径を水平面内に有する。「狭い」頭を持つ着用者にゴーグルが装着されるときは、その着用者の後頭部に巻き付くストラップからの引っ張りが、ゴーグルの両側辺を内側に曲がらせることによって、ゴーグルをより小さい曲率半径に締めて、装着者にフィットさせることができる。
【００１０】
通例の多くのゴーグルでは、鼻開口部の上方におけるレンズの垂直高さは、着用者の真っ直ぐな視線上におけるレンズの垂直高さよりも大幅に低い。したがって、狭い頭に着用されるゴーグルは、特に、ゴーグルのストラップによってゴーグルの両側辺が後方へけん引される状況では、鼻開口部におけるレンズを通る垂直中心線を中心にして優先的に折れる又は曲がる傾向を有する恐れがある。これは、レンズジオメトリを変形させて、光学的歪みを生じさせる。これは、また、鼻開口部の幅を狭めて、着用者の鼻を締め付けることになる。
【００１１】
更に、ゴーグルは、ゴーグルを着用者の頭に固定するためにストラップによってゴーグルフレームの両端に作用される曲げ力ゆえに、深刻なプリズム歪みをしばしば示す恐れがある。上記のように、ゴーグルは、多くの場合、ゴーグルが着用者の頭に適合するにつれて、より小さい曲率半径に適合せざるをえない。その結果、ゴーグルフレームに取り付けられたレンズは、同様に、光学的歪み及びプリズムシフトなどの光学性能の劣化をもたらす変形を受ける恐れがある。
【００１２】
したがって、本発明にしたがうと、ゴーグルの側縁が内側方向にたわむのに伴ったレンズの中間点を中心にしたゴーグルの優先的曲げを阻止するための補強構造を含むゴーグルが提供される。これは、例えば、比較的剛性の支持リブ又は支持要素をゴーグルフレーム内にインサート成形し、それをノーズピース上に中心合わせすることによって実現されて
よい。支持リブの長さは、フレームの端から端までの全アーク長の半分未満であってよく、ゴーグルの垂直中心線を中心にした優先的曲げを抑制する働きをする。或いは、支持要素は、ゴーグルフレームの下方部分の内部に若しくは同下方部分に隣接して形成されてよい、又はゴーグルの中心線を跨いでレンズに直接的に固定されてよい。
【００１３】
一部の実施形態では、ゴーグルフレーム及び曲げ制御部品を含むゴーグルが提供される。ゴーグルフレームは、相対する側方部分と、中心部分とを形成することができる。ゴーグルフレームの中心部分に配されたブリッジを含むことができる。ゴーグルフレームは、ゴーグルフレームに対する曲げ力の作用を受けて総じて可撓性であることができる。更に、曲げ制御部品は、ゴーグルフレームのブリッジに沿って伸びることができる。曲げ制御部品は、第１及び第２の端を有する総じて細長いボディを含むことができる。第１及び第２の端は、ブリッジの相対する両側に配することができる。曲げ制御部品は、ブリッジにおけるゴーグルフレームの優先的曲げを抑えるために、ゴーグルフレームのブリッジにおけるゴーグルの曲げ強度を強化するように構成することができる。随意として、ゴーグルは、ゴーグルフレームに取り付けられて、ゴーグルフレームと着用者の顔との間に介在するように構成することができるクッション部品を含むことができる。
【００１４】
一部の実施形態では、曲げ制御部品は、ゴーグルフレームに取り付けることができる。この点について、曲げ制御部品は、ゴーグルフレームのためのインサートとして、ゴーグルフレームとは別に形成することができる。ゴーグルフレームは、曲げ制御部品をゴーグルフレームに取り付けるために、曲げ制御部品の少なくとも一部分を受け入れるように構成することができる。曲げ制御部品及びゴーグルフレームは、また、一枚の材料片から形成することもできる。
【００１５】
ゴーグルフレームは、上方部分及び下方部分を形成することができ、曲げ制御部品は、ゴーグルフレームの上方部分に隣接して配することができる。そうでなければ、ゴーグルフレームは、上方部分及び下方部分を形成することができ、曲げ制御部品は、ゴーグルフレームの下方部分に隣接して配することができる。しかしながら、曲げ制御部品は、ゴーグルフレームの上縁及び下縁の両方に、又はゴーグルフレームの上方部分及び下方部分の両方に沿って伸びることができる。
【００１６】
ゴーグルフレーム及び曲げ制御部品は、同じ材料又は異なる材料から作成することができる。例えば、ゴーグルフレームは、第１の材料から作成することができ、曲げ制御部品は、第１の材料の曲げ強度を上回る曲げ強度を有する第２の材料から作成することができる。第１及び第２の材料は、ポリマ、金属、複合材、及び／又はその他の材料であることができる。
【００１７】
ゴーグルフレーム及び曲げ制御部品は、ブリッジにおけるゴーグルの曲げ強度がゴーグルの側方部分に沿ったゴーグルの曲げ強度に少なくとも等しいように構成することができる。更に、ゴーグルフレーム及び曲げ制御部品は、ブリッジにおけるゴーグルの曲げ強度がゴーグルの側方部分に沿ったゴーグルの曲げ強度を上回るように構成することができる。
【００１８】
一部の実施形態では、曲げ制御部品は、その細長いボディから伸びる複数のタブを含むことができる。タブは、曲げ制御部品をゴーグルフレームに結合するために、ゴーグルフレーム内に形成されたそれぞれの凹所に係合するように構成することができる。曲げ制御部品のタブは、曲げ制御部品の第１の端と第２の端との中間に配することができる。
【００１９】
一部の実施形態にしたがうと、ゴーグルフレームは、第１及び第２のレンズ支持部分と、第１のレンズ支持部分と第２のレンズ支持部分との間に配されたブリッジとを含むこと
ができる。ゴーグルフレームの第１及び第２のレンズ支持部分は、少なくとも１枚のレンズを着用者の視野内に支持するように構成することができる。ブリッジは、ノーズピース引っ込みを形成することができる。ゴーグルフレームは、ゴーグルフレームのブリッジに対する曲げ力の作用を受けて総じて可撓性であることができる。少なくとも１枚のレンズ及び第１のレンズ支持部分は、あわせて第１の複合曲げ強度を提供することができる。少なくとも１枚のレンズ及び第２のレンズ支持部分は、あわせて第２の複合曲げ強度を提供することができる。少なくとも１枚のレンズ及びブリッジは、ブリッジ曲げ強度を提供することができる。最後に、曲げ制御部品は、ゴーグルフレームのブリッジ上に、そのノーズピース引っ込みに隣接して配することができる。曲げ制御部品は、ゴーグルフレームのブリッジに対する曲げ力の作用を受けてゴーグルフレームのブリッジとともに撓むことができる。曲げ制御部品は、ブリッジ曲げ強度に加えて更なる曲げ強度を提供してあわせて第３の複合曲げ強度を提供することができる。この点について、第３の曲げ強度は、ブリッジにおけるゴーグルの曲げ強度を強化してブリッジにおけるゴーグルフレームの優先的曲げを抑えるために、第１の複合曲げ強度又は第２の複合曲げ強度のいずれかに等しい又はそれを上回ることができる。
【００２０】
一部の実施形態では、曲げ制御部品は、ゴーグルフレームとは別に形成することができる。曲げ制御部品は、少なくとも１つの先細の様相を形成する細長いボディを含むことができる。例えば、曲げ制御部品の幅は、その中心部分からその相対する両端に向かって先細ることができる。更に、曲げ制御部品の幅は、その中心部分からその相対する両端に向かって狭まることができる。
【００２１】
一部の実施形態では、ゴーグルは、締結具を含むことができ、ゴーグルフレームは、締結空洞を含むことができ、曲げ制御部品は、少なくとも１つの孔を含むことができる。この点について、締結具は、曲げ制御部品をゴーグルフレームに取り付けるために、ゴーグルフレームの締結空洞内に収まって曲げ制御部品の孔に係合するように構成することができる。一部の実施形態では、ゴーグルフレームは、締結具と曲げ制御部品との間に介在させることができる。
【００２２】
一部の実施形態にしたがうと、ゴーグルは、１つ又は２つ以上の係合構造を含むことができる。曲げ制御部品は、細長いボディと、該ボディに沿って配された１つ又は２つ以上の係合部材とを含むことができる。ゴーグルフレームは、ノーズピースセクションと、該ノーズピースセクションに沿って伸びる係合凹所とを含むことができる。係合凹所は、曲げ制御部品の少なくとも一部分を受け入れるように構成することができる。１つ又は２つ以上の係合構造は、曲げ制御部品の係合部材に対応することができる。係合構造は、曲げ制御部品をゴーグルフレームの係合凹所内に固定するように構成することができる。この実施形態では、曲げ制御部品は、ノーズピースセクションにおけるフレームの優先的曲げを抑えるために、ゴーグルフレームに対して補助的な曲げ強度を提供することができる。
【００２３】
一部の実施形態では、曲げ制御部品の１つ又は２つ以上の係合部材は、曲げ制御部品の細長いボディから伸びる１つ又は２つ以上の突出を含むことができる。したがって、１つ又は２つ以上の係合構造は、曲げ制御部品をゴーグルフレームの係合凹所に固定するために、曲げ制御部品の１つ又は２つ以上の突出を受け入れるように構成された１つ又は２つ以上の凹所を含むことができる。
【００２４】
一部の実施形態では、曲げ制御部品の１つ又は２つ以上の係合部材は、曲げ制御部品の細長いボディ内の１つ又は２つ以上の凹所を含むことができる。したがって、１つ又は２つ以上の係合構造は、ゴーグルフレームの係合凹所を通って曲げ制御部品の１つ又は２つ以上の凹所に係合するように構成された１つ又は２つ以上の突出を含むことができる。
【００２５】
更に、１つ又は２つ以上の係合構造は、ゴーグルフレームと一体に形成することができる。
【００２６】
１つ又は２つ以上の係合構造は、また、少なくとも１つの締結具を含むことができる。締結具は、曲げ制御部品をゴーグルフレームに固定するために、ゴーグルフレームの孔を通って曲げ制御部品の締結具凹所に入るように構成された突出を含むことができる。ゴーグルフレームは、また、孔を形成することができる突出部材を含むこともできる。突出部材は、曲げ制御部品をゴーグルフレームに固定するために、曲げ制御部品の締結具凹所内に受け入れ可能であることができる。また、ゴーグルフレームの突出部材は、ゴーグルフレームの突出部材と曲げ制御部品の締結具凹所との間に締まり嵌めを形成して曲げ制御部品をゴーグルフレームに固定するために、締結具の突出の挿入時に拡張可能であることができる。
【００２７】
本明細書に開示される発明の上記の及びその他の特徴は、好ましい実施形態の図面を参照にして以下で説明される。例示の実施形態は、発明の例示を意図したものであり、発明の限定は意図していない。図面は、以下の図を含む。
【図面の簡単な説明】
【００２８】
【図１】先行技術のゴーグルの斜視図である。
【図２】図１に示されるゴーグルの正面図である。
【図３】図２の線３−３に沿った水平断面図である。
【図４】図３に示されるゴーグルの、曲げ力Ｆ，Ｆが作用されているときの水平断面図である。
【図５】着用者の頭に装着されている図１のゴーグルの上面図である。
【図６】本発明の一実施形態にしたがって作成されたゴーグルの斜視図である。
【図７】図６に示されるゴーグルの正面図である。
【図８】図６に示されるゴーグルの側面図である。
【図９】図６に示されるゴーグルの水平断面図である。
【図１０】図６に示されるゴーグルの、曲げ力Ｆ，Ｆが作用されているときの水平断面図である。
【図１１】着用者の頭に装着されている図６のゴーグルの上面図である。
【図１２】本発明の一実施形態にしたがって作成されたゴーグルに組み込むことができる曲げ制御部品の実施形態を例示した図である。
【図１３】本発明の一実施形態にしたがって作成されたゴーグルに組み込むことができる曲げ制御部品の実施形態を例示した図である。
【図１４】本発明の一実施形態にしたがって作成されたゴーグルに組み込むことができる曲げ制御部品の実施形態を例示した図である。
【図１５】本発明の一実施形態にしたがって作成されたゴーグルに組み込むことができる曲げ制御部品の実施形態を例示した図である。
【図１６】別の実施形態にしたがって作成された別のゴーグルの斜視図である。
【図１７】図１６に示されるゴーグルの正面図である。
【図１８】図１６に示されるゴーグルの部品を例示した分解図である。
【図１９】様々な実施形態のゴーグルに使用することができる曲げ制御部品の一実施形態の斜視図である。
【図２０】図１９に示される曲げ制御部品の正面図である。
【図２１】一実施形態にしたがった、図１７に示されるゴーグルの図１７の線２１−２１に沿った垂直断面図である。
【図２２】図２１に示されるゴーグルの垂直断面図の一部分の拡大図である。
【００２９】
＜詳細な説明＞
本説明は、様々な実施形態の具体的詳細を明記しているが、この説明は、例示にすぎず、いかなる意味でも限定的だと見なされるべきでないことがわかる。また、本発明の特定の実施形態は、ユニタリレンズ又はデュアルレンズのいずれかのアイウェアシステムとの関連で開示又は図示されるであろうが、このような実施形態は、ユニタリレンズ及びデュアルレンズの両アイウェアシステムに使用することができる。更に、本発明の特定の実施形態は、ゴーグルであれ、サングラスであれ、フルリムを有するフレームとの関連で開示又は図示されるであろうが、このような実施形態は、フルリムを有するフレーム及び部分リムを有するフレームの両方に使用することができる。更に、当業者にならば想到されえるこのような実施形態の様々な応用及びそれらに対する変更もまた、本明細書に記載される一般概念によって網羅される。
【００３０】
上で論じられたように、先行技術のゴーグル設計の多くは、ゴーグルフレームの中間点における優先的曲げを許すという特筆すべき欠陥を有する。このような優先的曲げは、フィット感の悪さや光学的品質の低下をもたらすうえに、着用者に物理的及び光学的な不快感を持たせる恐れもある。したがって、本明細書に開示される実施形態の少なくとも１つにしたがうのは、先行技術のゴーグルフレームの優先的曲げは、ゴーグルの快適さ及び性能を向上させるために軽減及び／又は排除することが可能であるという認識である。
【００３１】
図１〜５は、通例の先行技術のゴーグル設計を例示している。図１は、ゴーグルフレーム１２と、ゴムストラップ１４と、ゴーグルフレーム１２の後方部分に取り付けられたフォーム部品１６とを含むゴーグル１０を例示している。ゴーグルフレーム１２は、また、引っ込みすなわちノーズピース１８を含む。使用にあたり、着用者は、自分の顔の上にゴーグルフレーム１２を位置付け、ゴーグルフレームを適所にしっかりと、しかしながら快適に固定するために自身の頭の後ろでゴムストラップ１４を調整する。図５は、ゴーグル１０を装着された着用者の頭４０の上面図を示している。
【００３２】
フォーム部品１６は、着用者の顔に接触し、ゴーグル１０が着用者の顔の表面に適合することを可能にすることを意図している。しかしながら、下で論じられるように、ゴーグル１０の優先的曲げゆえに、フォーム部品１６と着用者の顔の表面との間には、しばしば隙間が形成される恐れがある。更に、優先的曲げは、フォーム部品１６の特定の部分を高度に圧縮させる一方で、その他の部分は全く圧縮させない恐れもある。この点について、フォーム部品１６は、着用者の顔の表面に沿って応力を適切に分布させることができず、額の両脇、こめかみ、及び頬骨など、着用者の頭の脇に沿って応力の集中を引き起こすことになる。このような応力集中がゴーグルフレーム１２の優先的曲げゆえに生じるという認識は、本明細書に開示される本発明の少なくとも１つの実施形態の一態様を表わしている。
【００３３】
図３には、ゴーグル１０の水平断面図が示されている。例示されるように、ゴーグル１０のレンズ２０は、ゴーグルフレーム１２に取り付けられている。図３は、無負荷姿勢にあるゴーグルフレーム１２及びレンズ２０を例示している。言い換えると、ゴーグルフレーム１２及びレンズ２０は、それらの成形時の構成から曲げられていない。このように、この例では、レンズ２０の少なくとも側方部分２２、２４が共通の曲率中心を定めるように構成することができる。成形時の構成では、レンズ２０の中央セクション２６は、ゴーグル１０にとって望ましい光学特性を提供することができる好ましいジオメトリを定めている。
【００３４】
しかしながら、図４では、ゴーグル１０のレンズ２０は、有負荷姿勢にある状態で示されている。有負荷姿勢は、総じて、ゴーグル１０が着用者の頭の上に位置付けられた状態を言う。図４に例示されるように、フレーム１２の両側辺には、曲げ力Ｆ，Ｆが作用されてよく、その結果、フレーム１２及びレンズ２０が曲げられる。これらの力Ｆ，Ｆは、着
用者によるゴーグル１０の使用中に、ゴムストラップ１４によってもたらされる。
【００３５】
ゴーグルフレーム１２及びレンズ２０が有負荷姿勢に曲げられるときに、先行技術のゴーグルは、総じて、レンズ２０の中心点２８において優先的曲げを示す。本明細書に開示される少なくとも１つの実施形態にしたがうのは、レンズ２０の中心点２８におけるこのような優先的曲げが、ノーズピース１８においてフレーム１２を曲がらせるという欠点の認識である。図２に示されるように、ノーズピース１８は、所定の幅を定める無負荷ジオメトリを有する。総じて、ノーズピース１８は、着用者が自身の鼻の鼻梁の上にゴーグル１０を快適に位置付けることを可能にする。しかしながら、フレーム１２の優先的曲げは、総じて、ノーズピース１８の幅を狭ませる。その結果、着用者の鼻は、締め付けられて、着用者に不快感を与える恐れがある。
【００３６】
また、優先的曲げは、また、レンズ２０の側方部分２２、２４の曲率中心を共通の曲率中心Ａから変位後の曲率中心Ｂ、Ｃへ大幅に変位させる。レンズ２０の中央セクション２６もやはり、その無負荷姿勢から大幅に変形される。レンズ２０のこの変形は、レンズ２０の元のすなわち成形時の光学特性を大幅に低下させる。
【００３７】
例えば、レンズ２０は、着用者の眼を疲れさせて着用者が物体の位置を正確に把握する能力を衰えさせる傾向がある大幅なプリズムシフト及びその他の光学的歪みを示す恐れがある。これらの欠点は、ゴーグル１０の使用を不快にするのみならず、所定のアクティビティにおける着用者のパフォーマンスにも影響を及ぼす恐れがある。スキー、スノボー、スカイダイビングなど、ゴーグルがよく使用される速いペースのアクティビティでは、レンズ２０及びフレーム１２の優先的曲げによって引き起こされる欠点が悪化する恐れがある。
【００３８】
図５は、このような先行技術のゴーグル１０の更に別の欠点を例示している。図５の上面図は、着用者の頭４０にフィットされたゴーグル１０を示している。ゴーグル１０の優先的曲げゆえに、フォーム部品１６は、フォーム部品１６の中央部分６０に沿ってしばしば過剰な圧縮を受ける恐れがある。しかしながら、フォーム部品１６の更に中心寄りの部分６２は、着用者の額６４から隙間６６だけ実際に離れることがある。隙間６６は、小規模ではあるが、このような隙間は、スキーやスキューバダイビングなど、寒中の又は水関連の用途では問題になる恐れがある。このような用途では、どんな隙間でも視界を損なう恐れがある。更に、フォーム部品１６の不均等な圧縮は、着用者の頭に及ぼされる特定の地点において、不均等な応力及び応力集中を発生させる恐れがある。その結果、着用者は、総じて、より大きな不快感と疲労感とを感じることになる。
【００３９】
本明細書に開示される少なくとも１つの実施形態にしたがうのは、ゴーグル１０の優先的曲げは、少なくとも一部には、ノーズピース１８を配されたゴーグル１０の中心セクションがゴーグル１０のその他の部分の曲げ強度よりも小さい曲げ強度を有するゆえに引き起こされるという認識である。
【００４０】
再び図２を参照すると、垂直線Ａ、Ｂ、Ｃは、ゴーグル１０の曲げ強度を測定することができるゴーグル１０のセクションを例示している。曲げ強度は、ゴーグル１０に沿った所定の場所において垂直線を中心にした曲げにゴーグル１０が抵抗する能力として定義することができる。このような曲げは、図３及び図４に例示されている。したがって、垂直線Ａ、Ｂ、Ｃは、ゴーグル１０を曲げる中心になってその場所において曲げ強度を測定することができる垂直線を表わすことができる。また、所定の場所におけるゴーグル１０の曲げ強度は、総じてその所定の場所においてゴーグル１０に使用されている部品の材料と寸法との産物であることができる。
【００４１】
例えば、垂直線Ａは、ゴーグル１０のレンズ２０の相対する側辺の縁に隣接して配される。この場所におけるゴーグル１０の曲げ強度は、垂直線Ｂにおけるゴーグル１０の部分と比較して低いであろう。垂直線Ａにおいて、レンズの高さは、最小でも最大でもない。しかしながら、垂直線Ｂは、ゴーグル１０に沿って、総じてレンズ２０が最大高さに達するところに配される。最後に、垂直線Ｃは、ゴーグル１０に沿って、総じてレンズ２０が最小高さに達するところに配される。
【００４２】
これらの各場所において、レンズ２０の高さ、並びにゴーグルフレーム１２の上方部分及び下方部分は、ゴーグル１０の曲げ強度に寄与する。したがって、比較によると、垂直線Ｂにおけるゴーグル１０の曲げ強度は、垂直線Ａ及び垂直線Ｃにおけるゴーグル１０の曲げ強度よりも大きい。また、垂直線Ａにおけるゴーグル１０の曲げ強度は、垂直線Ｃにおけるゴーグル１０の曲げ強度よりも大きい。曲げ強度のこれらの差は、一部には、これらの場所におけるレンズ２０の高さの差ゆえである。実際、垂直線Ｃにおいては、垂直線Ｂと比べてゴーグル１０の曲げ強度に寄与することができるレンズ材料が少ない。
【００４３】
その結果、このような先行技術のゴーグル１０の曲げ強度は、一貫してゴーグル１０の中心部分又はノーズピース１８において最小になる。したがって、通常の使用時に及ぼされる曲げ力は、ゴーグル１０を、ゴーグル１０の中心部分又はノーズピース１８において優先的に曲がらせる。ゆえに、上記の問題は、これらの先行技術のゴーグルの結果として生じる。
【００４４】
したがって、本明細書に開示される少なくとも１つの実施形態にしたがうと、ゴーグルの中心部分の曲げ強度がゴーグルのその他の部分の曲げ強度に少なくとも等しいように構成された補強された中心部分を含む改善されたゴーグルが提供される。この点について、本明細書に開示される実施形態は、ゴーグルの中心部分又はノーズピースにおいて優先的曲げを示さない傾向を有する。詳細には、本明細書に開示される一部の実施形態は、ゴーグルのその他の部分よりも高い相対的な曲げ強度を示すゴーグルの中心部分又はノーズピースセクションを有するゴーグルを提供する。より詳細には、本明細書に開示されるその他の実施形態は、さもなければ着用者の鼻を締め付ける、不快感を与える、及びレンズを歪ませる結果となるノーズピースセクションにおけるゴーグルの望ましくない曲げを阻止する補強されたノーズピースセクションを有するゴーグルを提供する。
【００４５】
ゴーグルの中心部分は、総じて着用者の片方の眼の真っ直ぐな視線上から着用者のもう片方の眼の真っ直ぐな視線上まで及ぶゴーグルのゾーン又はセクションを含むことができる。言い換えると、ゴーグル３００の中心部分は、総じてゴーグルの中心寄りの２分の１から３分の２までの部分を含むことができる。
【００４６】
次に、図６には、改善されたゴーグル１００の一実施形態が例示されている。ゴーグル１００は、ゴーグルフレーム１０２と、ストラップ１０４と、少なくとも１枚のレンズ１０６と、クッション部品１０８とを含む、しかしながら、ゴーグル１００は、追加として、ゴーグルフレームの中心部分にゴーグルフレーム１０２の曲げ制御を提供するように構成される。例えば、曲げ制御は、ノーズピース引っ込み、ブリッジ、又はノーズピースセクション１１０に提供することができる。本明細書で使用される、ノーズピース引っ込み、ブリッジ、又はノーズピースセクションは、部品１１０として示される特徴を言うことができる。一部の実施形態では、ゴーグルフレーム１０２は、曲げ制御部品を含むことができる。このような実施形態は、通常の使用時に曲げ抵抗又は更なる曲げ強度を提供し、ゴーグルが所定の着用者にフィットするように調整されたときに着用者に不快感を与えることやレンズが過度に歪むなどの先行技術のゴーグルに伴う上記の問題を軽減及び／又は阻止するために、ゴーグルフレーム１０２の曲げ制御部品を用いる。
【００４７】
一部の実施形態では、ゴーグルフレーム１０２の曲げ制御は、ゴーグルフレーム１０２の１つ又は２つ以上の寸法を調整することによって実現することができる。言い換えると、ゴーグルフレーム１０２は、一体的に形成された曲げ制御部品を含むことができる。例えば、ゴーグルの中心部分又はノーズピースセクションにおけるレンズ高さの減少を打ち消すように、フレームのジオメトリを調整することができる。或いは、ゴーグルの中心部分又はノーズピースセクションに更なる曲げ強度を提供するために、フレームを作成する材料を変更することができる。このように、一部の実施形態は、ゴーグルに沿ったその他の場所におけるゴーグルの曲げ強度を上回る、総じて固定の曲げ強度を示す中心部分又はノーズピースセクションを有するゴーグルを提供することができる。したがって、このような実施形態は、ゴーグルの中心部分又はノーズピースセクションにおけるゴーグルの優先的曲げを軽減及び／又は阻止すると考えられる。
【００４８】
しかしながら、その他の実施形態では、ゴーグルフレーム１０２は、ゴーグルフレーム１０２に取り付けることができ尚且つゴーグル１００の曲げ制御を提供することができる、別に形成された曲げ制御部品を含むことができる。このような一実施形態が、図６に示されている。図に示されるように、ゴーグルフレーム１０２は、曲げ制御部品１２０を含むことができる。曲げ制御部品１２０は、ゴーグル１００に取り付けることができる。例えば、曲げ制御部品１２０は、ゴーグルフレーム１０２に接着によって接合する又は機械的に結合することができる。更に、曲げ制御部品１２０は、（例えば、１枚レンズ構成又は二枚レンズ構成の）レンズ１１６などの、ゴーグル１００のその他の部分に穏やかに接合する又は機械的に結合することもできる。
【００４９】
図７〜８は、図６に示されるゴーグル１００の実施形態の正面図及び側面図を示している。図７に例示されるように、レンズ１０６は、ユニタリレンズであってよく、ゴーグルフレーム１０２は、レンズ１０６を取り巻くように構成することができる。このように、ゴーグルフレーム１０２は、下方部分１３０及び上方部分１３２を含むことができる。ゴーグルフレーム１０２は、ノーズピースセクション１１０のそれぞれの側に位置する第１及び第２のレンズ支持部分を含むことができる。したがって、本実施形態ではユニタリレンズが例示されているが、本明細書に開示される実施形態は、使用されるレンズが単層であれ二層であれ、デュアルレンズゴーグルにも用いることができると考えられる。
【００５０】
例示されるように、曲げ制御部品１２０は、ゴーグル１００の上方部分１３２に取り付けることができる。しかしながら、その他の実施形態では、曲げ制御部品１２０は、ゴーグルフレーム１０２の下方部分１３０に取り付けることができる。更に別の実施形態では、曲げ制御部品１２０は、ゴーグル１００の下方部分１３０及び上方部分１３２の両方に取り付けられる１つ又は２つ以上の部品を含むことができる。
【００５１】
一部の実施形態は、曲げ制御部品１２０は、ゴーグル１００の中心部分１３４に沿って伸びることができる。例えば、曲げ制御部品１２０は、中心部分１３４に沿っておよそ１〜３インチ（約３〜８センチ）にわたって伸びることができる。曲げ制御部品１２０がゴーグル１００の上方部分１３２に沿って位置付けられる実施形態では、曲げ制御部品１２０は、総じて、細長い真っ直ぐな形状を含むであろう。しかしながら、曲げ制御部品１２０がゴーグル１００の下方部分１３０に沿って位置付けられる別の実施形態では、曲げ制御部品１２０は、総じてノーズピースセクション１１０の輪郭に一致する反転Ｖ字形などの形状に形成することもできる。更に、曲げ制御部品１２０は、ゴーグルフレーム１０２の中心線に対して中心合わせされると好ましいであろう。
【００５２】
更に別の実施形態では、曲げ制御部品１２０は、ゴーグル１００の周囲のちょうど一部分に沿って、その一部分よりも長く伸びることができると考えられる。例えば、曲げ制御部品１２０は、ゴーグルの相対する側辺に取り付けられてゴーグルフレーム１０２の外周
に隣接するところまで伸びる設計変更部品であることができる。
【００５３】
また、図８に示されるように、曲げ制御部品１２０は、ゴーグルフレーム１０２の前方部分１３６に取り付けることができる。それでもなお、曲げ制御部品１２０がゴーグルフレーム１０２の後方部分１３８に取り付けられるような別の実施形態を構成することもできると考えられる。
【００５４】
図９〜１０は、ゴーグル１００の水平断面図を示している。図９には、無負荷姿勢にあるゴーグル１００が示されている。したがって、フレーム１０２、レンズ１０６、及び曲げ制御部品１２０は、着用者による使用からもたらされる曲げ応力を受けていない。一部の実施形態では、フレーム１０２、レンズ１０６、及び曲げ制御部品１２０は、無負荷姿勢にあるときに実質的に無応力であることができる。しかしながら、別の実施形態では、フレーム１０２、レンズ１０６、及び／又は曲げ制御部品１２０は、予め応力を受けた状態に組み立てることができると考えられ、これは、中心部分又はノーズピースセクションを中心にしたゴーグル１００の優先的曲げを軽減及び／又は阻止するのに役立つであろう。
【００５５】
図１０は、有負荷姿勢にあるゴーグル１００を例示している。言い換えると、ゴーグル１００は、ゴーグル１００を曲がらせるためにフレーム１０２の側方部分に沿って力Ｆ，Ｆが作用している着用時の有負荷姿勢にある。しかしながら、曲げ制御部品１２０が適所にあると、ゴーグル１００は、中心部分又はノーズピースセクションにおいて優先的に曲がる傾向がない。言い換えると、図１０に示されるように、ゴーグル１００の曲げは、ゴーグルフレーム１０２及びレンズ１０６の脇部分や側方部分を通じて分布される。
【００５６】
したがって、このような力Ｆ，Ｆに応じたゴーグル１００の曲げは、ノーズピースセクション１１０のノーズピース開口部の崩壊と着用者の鼻の締め付けとを軽減及び／又は阻止するように制御することができる。更に、劇的な光学的歪みも阻止することができる。具体的には、ゴーグル１００の中心部分１３４に沿って曲げ制御部品１２０が伸びることによって、レンズ１０６は、その無負荷姿勢を保持する傾向を有することができる。したがって、着用者の真っ直ぐな視線上におけるレンズの光学的品質は、総じて、無負荷姿勢から有負荷姿勢になるのに伴って失われることはないであろう。
【００５７】
更に、図１１は、使用にあたり、ゴーグルの実施形態が、クッション部品１０８を通して圧縮力を均等に分布させる傾向も有することができることを例示している。クッション部品１０８は、フォーム材料又はその他の弾力性材料から作成することができる。言い換えると、上で論じられた先行技術のゴーグルとは対称的に、本明細書に開示されるゴーグルの実施形態は、着用者の顔とクッション部品１０８との間に隙間を生じさせる傾向を有さないであろう。また、クッション部品１０８を通して圧縮力が均等に分布されるゆえに、着用者に不快感及び疲労感を与えると考えられる応力集中も存在しにくい。これらの及びその他の利点は、本明細書に開示されるゴーグルの様々な実施形態の実現を通じて得ることができる。
【００５８】
図１２〜１５は、曲げ制御部品の様々な実施形態を例示している。図１２〜１３及び図１５は、一定の高さすなわち垂直寸法を有する曲げ制御部品を例示しており、したがって、これらの部品の幅を例示するために、これらの部品の水平断面図のみが示されている。下で論じられるように、図１３及び図１５に示される曲げ制御部品は、その中心部分からその相対する両端に向けて変化する可変幅を有する。しかしながら、下で論じられるように、図１４は、一定幅と、その中心部分からその相対する両端に向けて変化する可変の高さすなわち垂直寸法とを有する曲げ制御部品を例示している。図１２〜１５に示される各実施形態は、それぞれ異なる利点を提供するとともに、曲げ制御部品の代替的な構成を表
わすことができる。
【００５９】
しかしながら、先ずは、一部の実施形態のゴーグルフレーム及びレンズは、ノーズピース開口すなわちノーズピースセクションを提供するように構成されることが留意される。ゴーグルの曲げ強度は、ゴーグルの中心線からゴーグルの相対する両端に向かって変化する。実際、図７に示されるように、ゴーグルの曲げ強度は、先ずは、ゴーグルのセクションＡからセクションＢにかけて増大する。しかしながら、もし、先行技術のように曲げ制御部品が使用されないならば、ゴーグルの曲げ強度は、ゴーグルのセクションＢからセクションＣにかけて減少するであろう。
【００６０】
したがって、本明細書に開示される少なくとも１つの実施形態にしたがうのは、曲げ制御部品は、所定の地点又はセクションにおけるゴーグルの曲げ強度に対応するように特に構成することができるという認識である。曲げ制御部品の曲げ強度は、所定の地点又はセクションにおけるゴーグルの曲げ強度に対して追加になる。したがって、ゴーグルの合計すなわち全体の曲げ強度は、所定の地点又はセクションにおける曲げ制御部品及びゴーグルの個々の曲げ強度の和によって表わすことができる。
【００６１】
例えば、一部の実施形態では、曲げ制御部品は、ゴーグルがゴーグルの中心部分又はノーズピースセクションに沿って、総じて一定の全体曲げ強度を有するように、ゴーグルの中心部分又はノーズピースセクションに対して補助的な曲げ強度を提供するように構成することができる。言い換えると、一部の実施形態では、曲げ制御部品は、自身がその長さに沿って一定の曲げ強度を有することができる一方で、別の実施形態では、曲げ制御部品は、その長さに沿って可変の曲げ強度を有するように構成することができる。このような可変曲げ強度は、したがって、ゴーグルの中心部分若しくはノーズピースセクションの可変曲げ強度に対応する及び／又はゴーグルの中心部分若しくはノーズピースセクションの可変曲げ強度を補充することができ、あわさると、ゴーグルの中心部分若しくはノーズピースセクション及び曲げ制御部品は、合計で、一定の全体曲げ強度を形成することができる。この点について、全体曲げ強度は、ゴーグルに沿った所定の地点における曲げ制御部品の曲げ強度とゴーグルの曲げ強度との和として定義することができ、ゴーグルの曲げ強度は、ゴーグルに沿った所定の地点におけるレンズの曲げ強度とフレームの曲げ強度との合成すなわち和として定義することができる。上で論じられたように、一部の実施形態では、全体曲げ強度は、ゴーグルの中心部分又はノーズピースセクションにおけるゴーグルの優先的曲げを阻止及び／又は軽減するように有利に構成することができる。
【００６２】
次に、曲げ制御部品の様々な実施形態について、図１２は、一定の断面幅２０２を有する曲げ制御部品２００の水平断面図を示している。曲げ制御部品２００を使用することによって、ゴーグルは、その中心部分に沿って、強化された曲げ強度を有すると考えられる。しかしながら、このような実施形態は、中心部分又はノーズピースセクションにおける優先的曲げを阻止及び／又は軽減するであろうが、ゴーグルに沿って一定の全体曲げ強度は生成しないであろう。
【００６３】
図１３は、可変幅２１２を有する別の実施形態の曲げ制御部品２１０の水平断面図を示している。幅２１２は、曲げ制御部品２１０の中心部分からその相対する両端に向かって先細る。可変幅２１２の結果、曲げ制御部品２１０は、その長さに沿って、可変の曲げ強度を提供する。したがって、曲げ制御部品２１０は、その可変曲げ強度がゴーグルの中心部分又はノーズピースセクションに沿ったゴーグルの可変曲げ強度に対応するように構成することができる。
【００６４】
図１４は、更に別の実施形態の曲げ制御部品２１６の斜視図を示している。曲げ制御部品２１６は、可変高さ２１８を含むことができる。高さ２１８は、曲げ制御部品２１６の
中心部分からその相対する両端に向かって先細る。例示されるように、高さ２１８は、曲げ制御部品２１６の長さに沿って変化することができる。しかしながら、このような一実施形態では、部品の幅は、総じて一定であることができる。したがって、可変高さは、曲げ制御部品２１６が曲げ制御部品２１６の長さに沿って可変の曲げ強度を有することを可能にする。上記のように、可変曲げ強度は、ゴーグルの中心部分又はノーズピースセクションに沿ったゴーグルの可変曲げ強度に対応することができる。
【００６５】
図１５は、総じて一定の幅２２２を形成しているが一連の切り欠き２２４も含む更に別の実施形態の曲げ制御部品２２０の水平断面図を示している。一部の実施形態では、切り欠きは、曲げ制御部品２２０の長さに沿って、等間隔で配することができる。しかしながら、例示の実施形態では、切り欠き２２４は、曲げ制御部品２２０の中心からその相対する両端に向かって間隔が狭まるように配されている。切り欠き２２４は、曲げ制御部品２２０の長さに沿った所定の地点における曲げ制御部品２２０の曲げ強度に直接的に影響を及ぼすことができる。例えば、例示の実施形態の曲げ制御部品２２０は、部品２２０の長さに沿って、総じて可変の曲げ強度を形成することができる。やはり、上記のように、可変曲げ強度は、ゴーグルの中心部分又はノーズピースセクションに沿ったゴーグルの可変の曲げ強度に対応することができる。
【００６６】
図１６及び図１７は、ゴーグル３００の中心部分又はノーズピースセクションにおけるゴーグル３００の優先的曲げを軽減及び／又は排除するように構成することができる更に別の実施形態のゴーグル３００を例示している。ゴーグル３００は、ゴーグルフレーム３０２と、ストラップ３０４と、クッション部品３０６と、少なくとも１枚のレンズ３０８と、ゴーグル３００の中心部分に沿って配されたノーズピースセクション３１０とを含むことができる。本明細書で使用される、ノーズピース引っ込み、ブリッジ、又はノーズピースセクションは、部品３１０として示される特徴を言うことができる。ゴーグルフレーム３０２は、ノーズピースセクション３１０のそれぞれの側に位置する側方部分、すなわち第１及び第２のレンズ支持部分を含むことができる。したがって、本実施形態ではユニタリレンズが例示されているが、本明細書に開示される実施形態は、使用されるレンズが単層であれ二層であれ、デュアルレンズゴーグルにも用いることができると考えられる。
【００６７】
上記のように、ゴーグル３００の中心部分は、総じて着用者の片方の眼の真っ直ぐな視線上から着用者のもう片方の眼の真っ直ぐな視線上まで及ぶゴーグルのゾーン又はセクションを含むことができる。言い換えると、ゴーグル３００の中心部分は、総じてゴーグルの中心寄りの３分の２までの部分を含むことができる。
【００６８】
図６〜１１に例示される実施形態に関連して上で論じられたように、図１６〜２１に示される実施形態は、着用者の不快感、光学的歪み、及びゴーグルの中心部分又はノーズピースセクションにおけるゴーグルの優先的曲げに関連したその他の欠点を、有利に阻止及び／又は軽減することができる。図１６〜２１の実施形態は、ゴーグルの曲げ制御を提供してゴーグルの中心部分又はノーズピースセクションに沿ったゴーグルの曲げ強度を強化するように構成されたモジュラ式のゴーグル３００を例示している。
【００６９】
例えば、図１７は、垂直セクションＡ、Ｂ、及びＣを例示している。図６〜１１の実施形態に関連して上で論じられたように、ゴーグル３００は、ゴーグル３００の曲げ強度がゴーグル３００のセクションＡにおいて最小ではないように構成することができる。言い換えると、セクションＢ及びＣにおける曲げ強度が、総じてセクションＡにおけるゴーグルの曲げ強度に等しい又はそれ未満であることができる。
【００７０】
図１８には、ゴーグル３００の部品が分解斜視図で示されている。この図では、曲げ制御アセンブリ３２０及びフレーム３０２を単独で図解するために少なくとも１枚のレンズ
及びフォーム部品を取り外された一実施形態が例示されている。したがって、この実施形態では、（１枚若しくは複数枚の）レンズ及び／又はフォーム部品がゴーグルの曲げ強度に寄与できると考えられてはいるが、これらの部品は、曲げ制御アセンブリ３２０及びフレーム３０２を単独で図解するために省略されている。更に、曲げ制御アセンブリ３２０は、少なくとも１つの曲げ制御部品すなわちインサート３３０を含むことができる。更に、一部の実施形態では、曲げ制御アセンブリ３２０は、１つ又は２つ以上の締結具３３２も含むことができる。例えば、例示の実施形態は、ゴーグルの中心部分又はノーズピースセクションにおける曲げ制御を提供するために、ゴーグルフレーム３０２とともにインサート３３０及び締結具３３２の両方を用いている。
【００７１】
図１９及び図２０は、曲げ制御部品すなわちインサート３３０の一実施形態を例示している。図１９の斜視図は、曲げ制御部品すなわちインサート３３０の特徴及び態様を示すのに役立つ。例示されるように、曲げ制御部品３３０は、総じて細長いボディ３４０を含むことができる。ボディ３４０は、総じて直線状の形状を形成することができるが、例示の実施形態のボディ３４０は、ゴーグルフレームのノーズピースセクションの曲線周囲に対応するように構成された曲線形状を形成している。更に、本明細書で論じられるように、曲げ制御部品３３０は、ゴーグルフレームの隙間又は凹所に挿入されるように構成することができる。したがって、このような一実施形態では、曲げ制御部品３３０のボディ３４０は、有利なことに、ゴーグルのノーズピースセクションの全体形状に総じて適合することができる。
【００７２】
やはり図１９に例示されるように、曲げ制御部品３３０は、１つ又は２つ以上の前方突起３４２を含むことができる。前方突起３４２は、下で論じられるように、対応するゴーグルフレームの凹所又は溝に係合するように構成することができる。更に、曲げ制御部品は、１つ又は２つ以上の側方突起３４４も含むことができる。側方突起３４４は、やはり下で論じられるように、対応するゴーグルフレームの凹所又は溝に係合するように構成することができる。
【００７３】
この実施形態では、曲げ制御部品３３０がゴーグルフレームに係合して収まることを可能にするために、対応するゴーグルフレームの部分に係合する前方突起３４２及び側方突起３４４が使用されているが、対応する一実施形態の曲げ制御部品３３０の凹所に係合する１つ又は２つ以上の突起がゴーグルフレームに使用されることも可能であると考えられる。言い換えると、曲げ制御部品には、代わりとして、対応するゴーグルフレームの突起に係合する前方凹所及び後方凹所を用いることも可能である。この点について、例示の実施形態の曲げ制御部品３３０は、又は２つ以上の係合凹所３４６を含むことができる。係合凹所３４６は、曲げ制御部品３３０をゴーグルフレームに揃える及び／又は係合するために、対応するゴーグルフレームの突起又は構造を受け入れるように構成することができる。機能的な実施形態の曲げ制御部品３３０を提供するために、様々なその他の変更又は置き換えを用いることができる。
【００７４】
また、一部の実施形態では、曲げ制御部品３３０は、嵌め合い縁又は棚３４８を含むこともできる。嵌め合い縁又は棚３４８は、曲げ制御部品３３０がゴーグルフレームに係合する際の曲げ制御部品３３０の限界位置を定めることができる。更に、一部の実施形態では、嵌め合い縁又は棚３４８は、曲げ制御部品３３０とゴーグルフレームとが互いに係合する際のゴーグルフレームに相対的な曲げ制御部品３３０の下方への動きを制限することによって、振動に起因するがたつきが軽減されえるように構成することができる。
【００７５】
図１９及び図２０は、また、曲げ制御部品３３０が１つ又は２つ以上の締結具凹所３５０を含むことができることも例示している。締結具凹所３５０は、曲げ制御部品がゴーグルフレームに相対的に適所に固定されえるように、ゴーグルフレームを通って伸びる締結
具によって係合されるように構成することができる。突起に関連して上述されたように、締結具凹所３５０は、ネジ切りされたナットなどの締結部品によって係合されるように対応するゴーグルフレームの凹所を通って伸びることが可能な１つ又は２つ以上の突起で置き換えることが可能である。
【００７６】
図２１〜２２は、ゴーグル３００の垂直断面図である。これらの図は、ゴーグル３００の様々な部品の位置合わせ及び係合を例示している。例えば、断面図は、ゴーグル３００に２枚のユニタリレンズ３０８が使用されえることを例示している。レンズ３０８は、ガスケット３６０によって隔てることができ、ゴーグルフレーム３０２に取り付けられる。更に、図２１は、クッション部品３０６が複数の層を含みえることも例示している。この点について、クッション部品３０６は、１つ若しくは２つ以上のタイプのフォーム材料又は弾力性材料から作成することができる。
【００７７】
図２２は、図２１の断面図の拡大図である。これらの図は、曲げ制御部品３３０がゴーグルフレーム３０２の係合凹所に受け入れられて係合される一実施形態を例示している。図２２に示されるように、曲げ制御部品の前方突起３４２は、対応するゴーグルフレーム３０２の凹所３７０に係合することができる。更に、締結具３３２は、ゴーグルフレーム３０２の外側凹所３７４に受け入れられて収まることができる。図に示されるように、締結具３３２は、曲げ制御部品をゴーグルフレーム３０２に固定する働きをすることができる。
【００７８】
一実施形態にしたがうと、締結具３３２の突出３８０は、ゴーグルフレーム３０２の突出部材３８２の孔を通って伸びることができる。また、図に示されるように、ゴーグルフレームの突出部材３８２は、孔と、後方に展開するボディとの両方を含む。更に、図２２は、曲げ制御部品３３０の締結具凹所３５０が、突出部材３８２の少なくとも一部分をその中に受け入れるように構成されえることを例示している。突出部材３８２と締結具凹所３５０との間のこの初期係合は、ゴーグルフレーム３０２と曲げ制御部品３３０との間に第１次の保持を提供することができる。したがって、たとえ締結具３３２の使用がない場合でも、ゴーグルフレームの突出部材３８２を使用して、曲げ制御部品３３０の係合孔２５０に係合させることができる。
【００７９】
しかしながら、本明細書に開示される少なくとも１つの実施形態の固有な態様は、後方展開ボディが曲げ制御部品３３０の締結具凹所を拡張させて同凹所に強制的に係合するように、締結具３３２の突出３８０を突出部材３８２の孔に通すことができるという点である。言い換えると、締結具３３２の突出３８０は、突出部材３８２の孔の内側プロファイルよりも僅かに大きい通しプロファイルすなわち外のり寸法を形成するように構成することができる。更に、突出部材３８２は、その孔への突出３８０の挿入時に突出部材３８２が拡張することを可能にする弾力性材料を含むことができる。この点について、突出部材３８２は、突出部材３８２の後方展開ボディの長さに沿って伸びる１本又は２本以上のスリットを含むこともできる。突出部材３８２への突出３８０の挿入によって形成される拡張及び締まり嵌めは、ゴーグルフレーム３０２と曲げ制御部品３３０との間に第２次の保持を形成することができる。
【００８０】
したがって、曲げ制御部品３３０をゴーグルフレーム３０２の係合凹所３６２に挿入した後に、締結具３３２をゴーグルフレーム３０２の外側凹所３７４に挿入することができる。締結具３３２が外側凹所３７４に更に押し込まれるにつれて、締結具３３２の突出３８０が突出部材３８２の孔に押し込まれ、部材３８２のより深いところを拡張させ、曲げ制御部品３３０の締結具凹所３５０との締まり嵌めを形成する。
【００８１】
しかしながら、一部の実施形態では、締結具３３２は、突出部材３８２及び締結具凹所
３５０との締まり嵌めを形成する必要が無く、その代わりに、締結具３３２は、ゴーグルフレーム３０２及び締結具凹所３５０を通って伸びる突出を含むことができる。締結具３３２の突出は、曲げ制御部品３３０の締結具凹所３５０との係合からの引き戻しに抵抗する球状の頭部を含むことができる。しかしながら、一部の実施形態では、締結具３３２は、外側凹所３７４及び締結具凹所３５０に収まった又は受け入れられたときに締結具３３２の突起の先端に取り付く別の部品を含むことができるとも考えられる。したがって、締結具３３２は、曲げ制御部品をゴーグルフレーム３０２の係合凹所３６２内に固定することができる。
【００８２】
以上では、特定の好ましい実施形態との関連で発明が開示されてきたが、当業者にならば、本発明が、具体的に開示される実施形態の範囲を超えて、発明のその他の代替的な実施形態及び／又は使用、並びにこれらの自明の変更形態及び等価形態にまで及ぶことが理解される。また、発明の幾つかのヴァリエーションが、詳細に図示及び説明されてきたが、当業者にならば、この開示内容に基づいて、これらの発明の範囲内のその他の変更形態が容易に明らかになる。また、実施形態の特定の特徴及び態様の様々な組み合わせ又は小組み合わせがなされてよく、これらもまた、発明の範囲に入ると考えられる。開示される実施形態の様々な特徴及び態様は、開示される発明の様々な形態を形成するために互いに組み合わせ又は置き換えが可能であることを理解されるべきである。したがって、本明細書に開示される少なくとも一部の発明の範囲は、上述された特定の実施形態に限定されるべきでないことを意図される。
【図１】
2012515947.tif 000003
【図２】
2012515947.tif 000004
【図３】
2012515947.tif 000005
【図４】
2012515947.tif 000006
【図５】
2012515947.tif 000007
【図６】
2012515947.tif 000008
【図７】
2012515947.tif 000009
【図８】
2012515947.tif 000010
【図９】
2012515947.tif 000011
【図１０】
2012515947.tif 000012
【図１１】
2012515947.tif 000013
【図１２】
2012515947.tif 000014
【図１３】
2012515947.tif 000015
【図１４】
2012515947.tif 000016
【図１５】
2012515947.tif 000017
【図１６】
2012515947.tif 000018
【図１７】
2012515947.tif 000019
【図１８】
2012515947.tif 000020
【図１９】
2012515947.tif 000021
【図２０】
2012515947.tif 000022
【図２１】
2012515947.tif 000023
【図２２】
2012515947.tif 000024
【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
ゴーグルであって、
相対する側方部分と、中心部分とを形成するゴーグルフレームであって、前記ゴーグルフレームの前記中心部分に配されたブリッジを含み、前記ゴーグルフレームに対する曲げ力の作用を受けて総じて可撓性であるゴーグルフレームと、
前記ゴーグルフレームの前記ブリッジに沿って伸びる曲げ制御部品であって、第１及び第２の端を有する総じて細長いボディを含み、前記ブリッジにおける前記ゴーグルフレームの曲げを抑えるために、前記ゴーグルフレームの前記ブリッジにおける前記ゴーグルの曲げ強度を強化するように構成される曲げ制御部品と、
を備えるゴーグル。
【請求項２】
請求項１に記載のゴーグルであって、
前記曲げ制御部品は、前記ゴーグルフレームに取り付けられる、ゴーグル。
【請求項３】
請求項２に記載のゴーグルであって、
前記曲げ制御部品は、前記ゴーグルフレームのためのインサートとして、前記ゴーグルフレームとは別に形成され、前記ゴーグルフレームは、前記曲げ制御部品を前記ゴーグルフレームに取り付けるために、前記曲げ制御部品の少なくとも一部分を受け入れるように構成される、ゴーグル。
【請求項４】
請求項１に記載のゴーグルであって、
前記曲げ制御部品及び前記ゴーグルフレームは、一枚の材料片から形成される、ゴーグル。
【請求項５】
請求項１から請求項４の何れか１項に記載のゴーグルであって、
前記ゴーグルフレームは、上方部分及び下方部分を形成し、前記曲げ制御部品は、前記ゴーグルフレームの前記上方部分に隣接して配される、ゴーグル。
【請求項６】
請求項１から請求項４の何れか１項に記載のゴーグルであって、
前記ゴーグルフレームは、上方部分及び下方部分を形成し、前記曲げ制御部品は、前記ゴーグルフレームの前記下方部分に隣接して配される、ゴーグル。
【請求項７】
請求項１から請求項３、請求項５、請求項６の何れか１項に記載のゴーグルであって、
前記ゴーグルフレーム及び前記曲げ制御部品は、異なる材料から作成される、ゴーグル。
【請求項８】
請求項７に記載のゴーグルであって、
前記ゴーグルフレームは、第１のポリマから作成され、前記曲げ制御部品は、前記第１のポリマの曲げ強度を上回る曲げ強度を有する第２のポリマから作成される、ゴーグル。
【請求項９】
請求項１から請求項８の何れか１項に記載のゴーグルであって、
前記ゴーグルフレーム及び前記曲げ制御部品は、前記ブリッジにおける前記ゴーグルの曲げ強度が前記ゴーグルの前記側方部分に沿った前記ゴーグルの曲げ強度に少なくとも等しいように構成される、ゴーグル。
【請求項１０】
請求項９に記載のゴーグルであって、
前記ゴーグルフレーム及び前記曲げ制御部品は、前記ブリッジにおける前記ゴーグルの曲げ強度が前記ゴーグルの前記側方部分に沿った前記ゴーグルの曲げ強度を上回るように構成される、ゴーグル。
【請求項１１】
請求項１から請求項１０の何れか１項に記載のゴーグルであって、
前記ゴーグルフレームは、第１及び第２のレンズ支持部分を含み、前記ブリッジは、前記第１のレンズ支持部分と前記第２のレンズ支持部分との間に配され、前記ゴーグルフレームの前記第１及び第２のレンズ支持部分は、少なくとも１枚のレンズを着用者の視野内に支持するように構成され、前記少なくとも１枚のレンズ及び前記第１のレンズ支持部分は、あわせて第１の複合曲げ強度を提供し、前記少なくとも１枚のレンズ及び前記第２のレンズ支持部分は、あわせて第２の複合曲げ強度を提供し、前記少なくとも１枚のレンズ及び前記ブリッジは、ブリッジ曲げ強度を提供し、前記曲げ制御部品は、前記ブリッジ曲げ強度に加えて更なる曲げ強度を提供してあわせて第３の複合曲げ強度を提供し、前記第３の曲げ強度は、前記ブリッジにおける前記ゴーグルの曲げ強度を強化して前記ブリッジにおける前記ゴーグルフレームの優先的曲げを抑えるために、前記第１の複合曲げ強度又は前記第２の複合曲げ強度のいずれかに等しい又はそれを上回る、ゴーグル。
【請求項１２】
請求項１から請求項３、請求項５から請求項１１の何れか１項に記載のゴーグルであって、
前記曲げ制御部品は、その前記細長いボディから伸びる複数のタブを含み、前記タブは、前記曲げ制御部品を前記ゴーグルフレームに結合するために、前記ゴーグルフレーム内に形成されたそれぞれの凹所に係合するように構成される、ゴーグル。
【請求項１３】
請求項１２に記載のゴーグルであって、
前記曲げ制御部品の前記タブは、前記曲げ制御部品の前記第１の端と前記第２の端との中間に配される、ゴーグル。
【請求項１４】
請求項１から請求項１３の何れか１項に記載のゴーグルであって、
前記曲げ制御部品の前記細長いボディは、少なくとも１つの先細の様相を形成する、ゴーグル。
【請求項１５】
請求項１から請求項３、請求項５から請求項１１、請求項１４の何れか１項に記載のゴーグルであって、
締結具を備え、前記ゴーグルフレームは、締結空洞を含み、前記曲げ制御部品は、少なくとも１つの孔を含み、前記締結具は、前記曲げ制御部品を前記ゴーグルフレームに取り
付けるために、前記ゴーグルフレームの前記締結空洞内に収まって前記曲げ制御部品の前記孔に係合するように構成される、ゴーグル。
【請求項１６】
請求項１５に記載のゴーグルであって、
前記ゴーグルフレームは、前記締結具と前記曲げ制御部品との間に介在される、ゴーグル。
【請求項１７】
請求項１から請求項１６のいずれか１項に記載のゴーグルであって、
前記ゴーグルフレームは、前方フレーム部分と、前記前方フレーム部分から隔てられた後方フレーム部分とを含み、前記前方フレーム部分は、レンズを着用者の視線内に支持するように構成され、前記後方フレーム部分は、前記着用者の顔の輪郭に相対的に調整可能であり、前記曲げ制御部品は、前記ブリッジにおける前記ゴーグルフレームの前記前方フレーム部分の曲げを抑えるために、前記前方フレーム部分上において前記ゴーグルフレームの前記ブリッジに沿って伸びるとともに前記後方フレーム部分から隔てられている、ゴーグル。
【請求項１８】
請求項１から請求項１７のいずれか１項に記載のゴーグルであって、更に、
前記ゴーグルフレームに取り付けられ、前記ゴーグルフレームと着用者の顔との間に介在されるように構成されるクッション部品を備えるゴーグル。
【手続補正２】
【補正対象書類名】明細書
【補正対象項目名】００９１
【補正方法】変更
【補正の内容】
【００９１】
この実施形態では、曲げ制御部品３３０がゴーグルフレームに係合して収まることを可能にするために、対応するゴーグルフレームの部分に係合する前方突起３４２及び側方突起３４４が使用されているが、対応する一実施形態の曲げ制御部品３３０の凹所に係合する１つ又は２つ以上の突起がゴーグルフレームに使用されることも可能であると考えられる。言い換えると、曲げ制御部品には、代わりとして、対応するゴーグルフレームの突起に係合する前方凹所及び後方凹所を用いることも可能である。この点について、例示の実施形態の曲げ制御部品３３０は、１つ又は２つ以上の係合凹所３４６を含むことができる。係合凹所３４６は、曲げ制御部品３３０をゴーグルフレームに揃える及び／又は係合するために、対応するゴーグルフレームの突起又は構造を受け入れるように構成することができる。機能的な実施形態の曲げ制御部品３３０を提供するために、様々なその他の変更又は置き換えを用いることができる。
【手続補正３】
【補正対象書類名】明細書
【補正対象項目名】００９８
【補正方法】変更
【補正の内容】
【００９８】
したがって、曲げ制御部品３３０をゴーグルフレーム３０２の係合凹所３６２に挿入した後に、締結具３３２をゴーグルフレーム３０２の外側凹所３７４に挿入することができる。締結具３３２が外側凹所３７４に更に押し込まれるにつれて、締結具３３２の突出３８０が突出部材３８２の孔に押し込まれ、突出部材３８２を拡張させ、曲げ制御部品３３０の締結具凹所３５０との締まり嵌めを形成する。
【国際調査報告】
2012515947.tif 000025
2012515947.tif 000026
2012515947.tif 000027